(57)【要約】【課題】既成衣服に取り付け日除け又は防寒対策ができる予備服の提供。【解決手段】シート本体が上縁部と左右前合せ部と左右前裾部と後裾部とからなり、上縁部となるライン、左右の前合せ部となるライン、左右の前裾部となるライン、後裾部となるラインとを一体に裁断している。【選択図】図１
2009161877.tif 000002
【特許請求の範囲】
【請求項１】
既成衣服の所望する適宜の位置にシート本体の上縁を取付けうるようにしてなる日除け又は防寒用予備衣服において、シート本体が上縁部と左右前合せ部と左右前裾部と後裾部とからなり、上縁部となるライン、左右の前合せ部となるライン、左右の前裾部となるライン、後裾部となるラインとを一体に裁断してなる日除け又は防寒用予備衣服
【請求項２】
既成衣服の所望する適宜の位置にシート本体の上縁を取付けうるようにしてなる日除け又は防寒用予備衣服において、左右上縁部と左右前合せ部と左右後裾部とからなるシート本体を分割し左右一対とし、上縁部となる左右のライン、左右の前合せ部となる左右のライン、左右の前裾部となる左右のライン、左右後裾部となる左右のラインとを夫々一体に裁断してなる日除け又は防寒用予備衣服
【請求項３】
既成衣服の肩線や腋ぐり等の適宜の位置にシート本体の上縁を取り付けうるようにしてなる日除け又は防寒用予備衣服において、シート本体が左右上縁部と左右前合せ部と左右の前裾部とからなり、上縁部となるライン、左右の前合せ部となるライン、左右の前裾部となるラインとを一体に裁断した左右一対としてなる日除け又は防寒用予備衣服
【発明の詳細な説明】
【技術分野】
【０００１】  本発明は、体感温度に応じて瞬時に対応することができるように既成の衣服に取付又は取外し自在に取付けた多用途に対応できる日除け又は防寒用予備衣服に関するものである。
【背景技術】
【０００２】  夏季は外出する際には薄着で出かけるが、近年日焼けによる弊害が問題となっており、日除け対策が必要となっている。冬季では防寒対策が必要となる一方、エアコンの普及から夏冬ともに室内と室外との温度差が激しいため、夏季は冷房をしている室内では寒くなり羽織るものが必要となる。一方、冬季は厚着で外出するため、暖房されている室内ではベストなどを脱ぎたくなることがある。【０００３】  このような事情から、日焼け防止腕カバーなどは開発されているが、外出時に嵩張るという欠点があった。そのため日焼け防止や防寒対策を施したこの種上着はあるが、取り外しが必要なものが殆んどであり、取り外しに手間取るため瞬時に対応することはできないものであった（特許文献１）。また、部分的に腕や手の甲の日焼け防止のための上着はあるが（特許文献２）、首、頬や胸元までの日焼けを防止できるようにしたものはなかった。【０００４】  そこで、本発明は、既成の衣服に取付けることができ、外出時にも嵩張らず、瞬時に寒暖に対応できるファッション性に富んだ予備衣服を提供するものである。【０００５】
【特許文献１】実開平５−１９３０８号公報
【特許文献２】実用新案登録第３１２８７４７号公報
【発明の開示】
【発明が解決しようとする課題】
【０００６】  本発明は、上述した従来技術の欠点を除くためになされたものである。即ち、外出時にも嵩張らず、夏季には瞬時に冷房対策や日焼け防止対策ができ、冬季には防寒対策として瞬時に利用できる予備衣服を提供することをその目的とするものである。
【課題を解決するための手段】
【０００７】  このような問題点を解決するために、第１発明は、ワンピースや上衣の腰より上の位置やスカートの腰位置などの適宜位置にシート本体を取付けうるようにした予備衣服であって、シート本体の上縁の左右縁には左右の前合せとなる部分、左右前合せ部分には左右の前裾となる前裾部を垂下し、左右の前裾部には後裾部を接続した予備衣服のシート本体の上縁を取付けうるようにしてなることを特徴とするものである。【０００８】  また、第２発明は、上記第１発明のシート本体を左右に分割してなることを特徴とするものである。【０００９】  また、第３発明は、シート本体が左右上縁部と左右前合せ部と左右の前裾部とからなり、シート本体の上縁を肩線及び腋ぐり等の適宜の位置に取付けうるようにしたことを特徴とするものである。
【発明の効果】
【００１０】  本発明は、このような構成であるので、第１発明によれば、ノースリーブのワンピースに取付ける場合、図２（ａ）、（ｂ）のように左右の前合わせは重合しないようにシート本体の上縁をワンピースの両腋ぐり及び背部に取付けておけばよい。このようにすることによって、シート本体の後裾縁の中央部を襟となるように前裾縁を摘み腕に捲るようにすれば、図３（ａ）、（ｂ）のように前裾部が袖口となり前合せ部と後裾部とで袖を形成することとなり、腕の日焼けを防ぐことができ、前裾縁の両端をスナップ等で取着することができる。【００１１】  また、前裾縁に指通しを設けていると指通しに指を通したまま捲り上げると手の甲までシートが覆うこととなり手の甲の日焼けも防ぐことができる。また、後裾縁の左右の適宜位置にスナップなどを設け止め襟ぐりを形成するようにすれば図４のように首や胸元が露出せず胸元や首元の日焼けを防ぐことができる。【００１２】  なお、前合せとなる左右前合せ部の丈を調節することにより、長くすると図３のように長袖とすることも、短くすると図４のように七分袖のようにすることもできる。【００１３】  このような本第１発明によれば、予備衣服となるシート本体の上縁を必要に応じて既成衣服に取付けてなるものであるため、多様な色や柄のシートを取り付けることによって、既成の衣服のファッション性を高めることができる。【００１４】  また、第２発明によれば、図７のようにシート本体を左右に分割した一対のものとしているので、シート本体を捲り上げるとき左右に引っ張られることなく左右別々に巻き上げることにより図１０（ａ）のような袖を形成できるので便利である。【００１５】  また、第３発明によれば、図８のようにシート本体を上縁部と前合せ部と前裾部とからなる左右一対のものとしているので、ティーシャツのような軽装の衣服に適したものとなる。すなわち、袖付けを中心とした予備服を取付ける場合には、左右の前合せの上縁にシャツ取付部を設けたシート本体を、図９に示すように、シートの上縁をシャツ本体の肩線及び前腋ぐり等適宜の箇所に取付けて左右の前合せを垂下させるように取付けるだけでよいからである。このようにティーシャツに取付けた予備服のシート本体の裾を摘み捲り上げると、図１０（ｂ）、（ｃ）のように袖を形成することとなる。【００１６】  なお、図１１のように、前合せ部の両側にスナップなどの取付部材を設けておくと袖部として利用する場合に図１２（ａ）、（ｂ）のように袖部がずり落ち難く、見栄えもよくなる。
【発明を実施するための最良の形態】
【００１７】  実施例について図面を参照して説明すると、図１において、１はシート本体であって、２は上縁部、３、３は左右の前合せ部、４、４は左右の前裾部、５は後裾部からなっている。各ラインの長さは取付ける既成衣服に応じ又使用目的に応じ適宜に決定すればよい。【００１８】  予備服となるシート本体１は、既成衣服に取り付ける上縁部２となるＪＢライン、左右の前合せ部３，３となるＪＨライン、ＢＤライン、左右の前裾部４，４となるＨＧライン、ＤＥライン、後裾部５となるＧＥラインを一体に裁断している。【００１９】  このようにしてなるシート本体１を既成衣服に取り付けるのであるが、例えば、図２のようなワンピースに取り付ける場合には、ワンピースＯの後身頃１２を覆うように上縁部２の中央部分Ａ、Ｋラインをワンピースの上縁に取り付けるとともに、上縁の腋ぐり部６、６となるＪＫライン、ＢＡラインをワンピースＯの腋ぐりに取り付け、左右前裾部４，４がワンピースの前身頃１１を覆うように垂下することとなる。そして、日除け又は防寒のため左右前裾部４，４の端を持ちシートを腕に巻きつくように捲り上げれば図３、４のように袖が形成される。【００２０】  このとき、前合せ部３、３が袖部分を形成することとなるので、前合せ部３、３の長さを短めにすることにより、図４のように七分袖とすることができる。なお、袖部分の袖口はスナップなどで止めることができるようにすればずり落ちを防ぐことができ、又首部も同様の手段で止めることができるようにすれば首部などの日焼け帽子や防寒効果も期待できる。【００２１】  なお、シートを取り付ける衣服によって、シート本体１の形状を変えることができる。例えば、図５のような衣服のバストラインに沿ってシート本体１の上縁２を取り付ける場合には、図１３のような上縁２となるＪＢラインをバストラインに沿った一直線のラインとしたシート本体とすればよい。【００２２】  また、スカートのような衣服の場合には、図６のようにスカートＳの腰の位置でシート本体９１を巻くようにして取り付ければよい。取付方法としてはシート本体９１の上縁に紐９２を取付け結ぶ方法やボタンや面テープで取り付ける方法等がある。【００２３】  図７に示すように、予備服となるシート本体を左右夫々に上縁部１０１、１０２と前合せ部１０３、１０４と裾部１０５、１０６とからなる一対のものとすることにより、既製服の上縁の左右夫々にシート本体の上縁部１０１、１０２に取付け裾部を持ち上げ捲り上げるとき左右に引っ張られることがなく左右夫々を自由に動かすことができるので捲り上げやすくなる。【００２４】  また、ティーシャツのような衣服に取り付ける場合は、図８に示すように、予備服となるシート本体を左右に分割し、左右の上縁部１１１，１１２と左右の前合せ部１１３，１１４と左右の前裾部１１５，１１６とを形成することにより、図９に図示するようにシート本体の上縁部１１１、１１２をシャツ本体Ｔの肩線及び前腋ぐりに取付けて左右の前合せ部１１３，１１４を垂下させるように取付け着用すればよい。【００２５】  この場合は、前合せ部１１３，１１４を袖にすることとなるので前合せ部の裾を摘み後ろ側に捲くれば図７の補助衣服の場合には、図１０（ａ）のように、また図８の補助衣服の場合には、図１０（ｂ）（ｃ）のようにティーシャツの袖とすることができる。【００２６】  図１１で図示するように、前合せ部１０３，１０４の両側にスナップ１４１などの取付部材を設けておくと袖部として利用する場合、図１２（ａ）、（ｂ）に示すように袖部が腕に巻かれるためずり落ち難く見栄えもよくなる。
【図面の簡単な説明】
【００２７】
【図１】  本発明の実施形態に係るシート本体の正面図である。
【図２】  衣服に取付けた状態の正面図である。
【図３】  使用状態の正面図である。
【図４】  他の使用状態の正面図である。
【図５】  衣服のバストラインに取付けた状態の正面図である。
【図６】  スカートに取付けた状態の正面図である。
【図７】  本発明の他の実施形態に係るシート本体の正面図である。
【図８】  本発明の他の実施形態に係るシート本体の正面図である。
【図９】  Ｔシャツに取付けた状態の正面図である。
【図１０】  使用状態の説明図である。
【図１１】  袖部にスナップを取付けた上体の正面図である。
【図１２】  使用状態の説明図である。
【図１３】  本発明の他の実施形態に係るシート本体の正面図である。
【符号の説明】
【００２８】    １    シート本体
２    上縁部
３    前合せ部
４    前裾部
５    後裾部
６    腋ぐり部
１１  前身頃
１２  後身頃
【図１】
2009161877.tif 000003
【図１３】
2009161877.tif 000004
【図２】
2009161877.tif 000005
【図３】
2009161877.tif 000006
【図４】
2009161877.tif 000007
【図５】
2009161877.tif 000008
【図６】
2009161877.tif 000009
【図７】
2009161877.tif 000010
【図９】
2009161877.tif 000011
【図８】
2009161877.tif 000012
【図１１】
2009161877.tif 000013
【図１０】
2009161877.tif 000014
【図１２】
2009161877.tif 000015